(57)【特許請求の範囲】
【請求項１】
少なくとも一つの折り畳みアーム（１，２）が軸（３．１０）の周りに関節接合されたベースプレート（３）と、
前記ベースプレート（３）に取り付けられた弾性チューブ状ロック手段（４）とを備え、
前記折り畳みアーム（１，２）には、前記ベースプレート（３）に対して折り畳まれた状態で前記弾性チューブ状ロック手段（４）に係合されると共に剛性を有する接触面（１．４，２．４）が自由端に設けられ、
前記弾性チューブ状ロック手段（４）は、軸が前記ベースプレート（３）に対して交差している少なくとも一つの芯（４．２）を有すると共に当該芯（４．２）よって前記ベースプレート（３）に接続されており、
前記折り畳みアーム（１，２）が前記ベースプレート（５）に対して折り畳まれた状態となったときに前記芯（４．２）の軸及び前記折り畳みアーム（１，２）の前記軸（３．１０）を含む平面内において、前記接触面（１．４，２．４）によって加えられる力が前記芯に向かうことで、前記弾性チューブ状ロック手段（４）が変形するようになっていることを特徴とする折り畳み留め金。
【請求項２】
折り畳みアーム（１，２）に関して関節接合されるようになっており、前記芯（４．２）の軸に沿ってスライド可能とされた前記芯（４．２）の端部が係止される係止手段（５．４）を有する安全係止部材（５）を更に備え、
前記芯（４．２）の軸方向における位置は、前記折り畳みアーム（１，２）の前記接触面（１．４，２．４）と係合されたときに伸張されるようになっている前記弾性チューブ状ロック手段（４）によって定められることを特徴とする特許請求の範囲第１項記載の折り畳み留め金。
【請求項３】
前記芯（４．２）が前記安全係止部材（５）の前記係止手段（５．４）と係止した状態にあるときに、前記弾性チューブ状ロック手段（４）が圧縮状態とされることを特徴とする特許請求の範囲第２項記載の折り畳み留め金。
【請求項４】
前記弾性チューブ状ロック手段（４）は、コイルバネ（４．１）を含んで構成されており、
前記コイルバネ（４．１）が圧縮されると、前記芯（４．２）の軸と交差する方向に沿って前記コイルバネ（４．１）が伸張することを特徴とする特許請求の範囲第１項〜第３項のいずれかに記載の折り畳み留め金。
【請求項５】
前記芯（４．２）は、２つの部材で構成されており、
前記芯（４．２）の各部材は、前記弾性チューブ状ロック手段（４）が前記接触面（１．４，２．４）と係合されるときに、前記芯（４．２）の軸に沿うように互いに反対方向に移動可能とされていることを特徴とする特許請求の範囲第２項〜第４項のいずれかに記載の折り畳み留め金。
【請求項６】
前記芯（４．２）には、前記ベースプレート（３）の内側に全体がある第１の位置と、前記芯（４．２）が前記係止手段（５．４）に係止される際の前記芯（４．２）の軸方向の移動に対応しており、前記ベースプレート（３）と前記折り畳みアーム（１，２）との間にある第２の位置とをとることができる部材が取り付けられていることを特徴とする特許請求の範囲第２項〜第５項のいずれかに記載の折り畳み留め金。
【請求項７】
前記弾性チューブ状ロック手段（４）は、弾性チューブ（４．３）を含んで構成されており、
前記弾性チューブ（４．３）は、その両端にそれぞれ配置された２つの環状スペーサ（４．４）を介して前記芯（４．２）に接続されていることを特徴とする特許請求の範囲第１項〜第６項のいずれかに記載の折り畳み留め金。
【請求項８】
前記弾性チューブ状ロック手段（４）は、弾性チューブ（４．３）の内部にコイルバネ（４．１）が配置されて構成されていることを特徴とする特許請求の範囲第１項〜第６項のいずれかに記載の折り畳み留め金。
【請求項９】
前記ベースプレート（３）は、２つのエッジプレートを含んで構成され、
前記各エッジプレートの間には、前記弾性チューブ状ロック手段（４）が配置され、
前記各エッジプレートは、前記芯（４．２）を収容するための収容孔をそれぞれ有しており、
前記各収容孔は、同軸上に並んでいることを特徴とする特許請求の範囲第１項〜第８項のいずれかに記載の折り畳み留め金。
【発明の詳細な説明】
本発明は、留め金とくに請求の範囲に記載されるような折り畳みの留め金に関する。より詳細には、ベースプレートに配置された弾性ロック手段によってロックされる少なくとも１つの折り畳みアームを備えた腕時計用の折り畳み留め金に関する。
ヨーロッパ特許第509,938号は、中央カバーまたはストレッチャーの端部に関節接合された２つの折り畳みアームを備えた折り畳み留め金を開示している。それぞれのアームは凹部を有し、この凹部を中央カバーのロッドまたはピンに押し込むことによってロックすることができる。アームは一体部材であり、弾性限界を有し、繰り返し圧縮された結果によって凹部はその柔軟性を失う。この柔軟性の減少を調整するために、ドライバーまたはナイフの先端で凹部の裏側に配置された溝を変形させることによって凹部の幅を変えることができる。このような柔軟性の修正はあまり信頼性がなく、折り畳みアームを破壊する危険性がある。
ヨーロッパ特許第115,740号は、音叉システム（tuning fork system）を備え、かつ、折り畳みアームをノッチングするためのより大きな摩擦を有する表面を備えたよりしっかりとした構造を有する別の折り畳みスナップ留め金を開示している。バンドを開閉するのに必要なかなり大きな力について記述されている。これにより、さらなる欠点が発生する。なぜなら、爪溝を作動させるときにユーザが爪を傷つけることがあるからである。
第３の欠点は、周知の折り畳み式のスナップ留め金ファスナーの信頼性および安全性に関するものである。ロックする力を調整することは難しいことであり、折り畳み留め具が予期しないときに開く危険性がある。具体例においては、共通スタッドに近接する２つの折り畳みアームを有する留め金のスナップ締結力の非対称性の問題について言及している。折り畳みアームの一方を最初にノッチングするとき、このスタッドがわずかに変形し、その結果、他方の折り畳みアームをノッチングする異なったスナップ締結力が発生する。
第４の欠点は、周知の折り畳み留め具の高いコストであり、それは、とくに、特殊な工具と、留め金の様々な部品の不可逆的な結合（順序）とを必要とする部品製造時に要求される高い精度によるものである。これにより、あらゆる部品を交換することが妨げられ、また、後でその留め金を何度も分解することができない。
第５の欠点は、周知の折り畳み式のスナップ留め金ファスナーは長期間にわたる安定性がないことである。様々な部品を締結することは、しばしば、腐食のような非常に都合の悪い作用を受け、その結果、折り畳み留め金が壊れる危険性がある。
第６の欠点は、例えばステンレス鋼上のステンレス鋼のような同一の材料を使用することによってもたらされ、その結果として、単位圧が大きくなると故障することがある。機械的な観点からは、同一の材料を用いたスナップ締めをおこなうのは適切なことではない。理想的な状態は、分子構造および硬度が異なる一対の材料を使用することである。
したがって、本発明の目的は、一般的に適用することのできる例えば腕時計に用いられるような折り畳み留め金を考案することによってこれらの問題の解決法を提供することであり、それは、周知の検証済の製造方法と互換性のある著しく簡潔な構造を有する。
この目的は、請求の範囲に記載されるような本発明によって達成される。
本発明を添付の図面を参照して説明する。
図１ａおよび図１ｂは、本発明による折り畳み留め金の第１の好ましい実施形態の詳細な側面図および平面図であり、折り畳みアーム、ベースプレート、および、コイル状または螺旋状のバネを含む弾性ロック手段を示す。
図２ａおよび図２ｂは、本発明による折り畳み留め金の第２の好ましい実施形態の詳細な側面図および平面図であり、折り畳みアーム、ベースプレート、および、弾性チューブを含む弾性ロック手段を示す。
図３ａおよび図３ｂは、図１ａおよび図１ｂの折り畳み留め金に用いられるロック手段の第１の好ましい実施形態の詳細な部分断面平面図であり、第１の横断面における弾性ロック手段の圧縮を示す。
図４は、図２ａおよび図２ｂの折り畳み留め金のロック手段の第２の好ましい実施形態詳細な部分断面平面図であり、第１の横断面における弾性ロック手段の変形を示す。
図５は、本発明による折り畳み留め金の第３の好ましい実施形態の詳細な分解図であり、折り畳みアーム、ベースプレート、および、コイルバネおよび／または弾性チューブを含む弾性ロック手段を示す。
図６は、本発明による折り畳み留め金の第４の好ましい実施形態の詳細な斜視図であり、折り畳みアーム、ベースプレート、および、チューブおよびコイルバネを含む弾性ロック手段を示す。
図７は、図６に示される折り畳み留め金のロック手段の第４の好ましい実施形態詳細な部分断面平面図であり、第１の横断面および第２の縦断面における弾性ロック手段の圧縮／変形を示す。
図８は、本発明による折り畳み留め金のロック手段の第５の好ましい実施形態の詳細な部分断面側面図であり、折り畳みアーム、ベースプレート、コイルバネを含む弾性ロック手段、および、安全手段の安全ロック装置を示す。
図９ａおよび図９ｂは、図８に示される折り畳み留め金のロック手段の第５の好ましい実施形態の詳細な部分断面平面図であり、第１の横断面および第２の縦断面における弾性ロック手段の圧縮を示す。
図１０は、本発明による折り畳み留め金のロック手段の第６の好ましい実施形態の詳細な部分断面平面図であり、折り畳みアーム、ベースプレート、チューブおよびコイルバネを含む弾性ロック手段、および、安全手段の安全ロック装置を示し、弾性ロック手段は、第１の横断面および第２の縦断面において圧縮／変形されている。
図１１は、図１０に示される折り畳み留め金のロック手段の第５の好ましい実施形態の詳細な部分断面側面図である。
本発明による折り畳み留め金の可視的の部品は、好ましくは、金属であり、例えばステンレス鋼および／または金から造られる。しかしながら、その他の基礎材料を用いることも明らかに可能である。この折り畳み留め金は、ベースストリップまたはベースプレート３に関節接合された少なくとも１つの折り畳みアーム１および２と、ロック手段４とを含む。図１ａ〜図１１に示される好ましい実施形態によれば、ベースプレート３は、２つのベースピン３．１０によって連結された２つのエッジプレートから形成される。これらの好ましい実施形態によれば、このベースピン３．１０は、２つの折り畳みアーム１および２のヒンジとしても機能する。好ましくは、折り畳みアーム１および２にしっかりと取り付けるファスナー１．１および２．１は、腕時計の固定手段を折り畳み留め金に取り付けることを可能にする。このファスナー１．１および２．１は、例えば、連結ストラップの固定手段を可能にする。例えば、連結ストラップと折り畳み留め金との一部分を協同で形成するターミナル連結金具（terminal link）を提供することが可能である。このようなターミナル連結金具は、本発明の範囲を越えるものであり図面には示されない。
上述のロック手段４は、ベースプレート３の少なくとも１つの開口部３．１および３．１′にしっかりと取り付けられる。このロック手段４は、上述の少なくとも１つの折り畳みアーム１および２をロック手段４に押し込むことによって、この少なくとも１つの折り畳みアーム１および２をロックすることを可能にする。折り畳みアーム１および２のそれぞれは、ロック手段４上での圧縮あるいは可逆なに変形を支持することができる少なくとも１つの接触面１．４および２．４を含む。このロック手段は、その底面（base surface）に平行な第１の平面ＴＴ′および／またはその底面に垂直な第２の平面ＬＬ′において圧縮あるいは変形させられる。本発明による折り畳み留め金の６つの好ましい実施形態が示される。
図１ａ、図１ｂ、図３ａ、および、図３ｂは、折り畳み留め金の第１の好ましい実施形態を示し、ここでは、コイルバネ４．１および芯４．２を備えるロック手段４が、第１の平面ＴＴ′において圧縮される。
図２ａ、図２ｂ、および、図４は、折り畳み留め金の第２の好ましい実施形態を示し、ここでは、弾性チューブ４．３および芯４．２を備えるロック手段４が、第１の平面ＴＴ′において変形させられる。
図５は、折り畳み留め金の第３の実施形態を示し、ここでは、コイルバネ４．１および／または弾性チューブ４．３および２つの芯４．２を備えるロック手段４が、第１の平面ＴＴ′および第２の平面ＬＬ′において圧縮される。
図６および図７は、折り畳み留め金の第４の実施形態を示し、ここでは、コイルバネ４．１、２つの芯４．２、および、弾性チューブ４．３を備えるロック手段４が、第１の平面ＴＴ′および第２の平面ＬＬ′において圧縮／変形させられる。
図８、図９ａ、および、図９ｂは、折り畳み留め金の第５の実施形態を示し、ここでは、コイルバネ４．１および２つの芯４．２を備えるロック手段４が、第１の平面ＴＴ′および第２の平面ＬＬ′において圧縮される。
図１０および図１１は、折り畳み留め金の第６の実施形態を示し、ここでは、コイルバネ４．１、２つの芯４．２、および、弾性チューブ４．３を備えるロック手段４が、第１の平面ＴＴ′および第２の平面ＬＬ′において圧縮／変形させられる。
上述のロック手段４は、数個の弾性部品及びそれらの弾性部品の組み合わせを含む。図１ａ、図１ｂ、図３ａ、図３ｂ、および、図５〜１１に示される好ましい実施形態においては、ロック手段４は、コイルバネ４．１と、ベースプレート３においてそのコイルバネ４．１への支持および取り付けとして機能する少なくとも１つの芯４．２とを含む。コイルバネ４．１は、この少なくとも１つの芯４．２のまわりに配列され、第１の平面ＴＴ′においてコイル４０を圧縮することを可能にし、また、それらをその少なくとも１つの芯４．２に近づけ、この少なくとも１つの芯４．２上を摺動させることによって第２の平面ＬＬ′においてコイル４０を圧縮することを可能にする。少なくとも１つの折り畳みアーム１および２の少なくとも１つの接触面１．４および２．４がロック手段４を支持し、ロック手段４の第１の平面ＴＴ′に配向された前記ロック手段４の端部の少なくとも一部分を圧縮する。コイルバネ４．１と折り畳みアーム１．２、１．４の相互作用面は、前記コイルバネ４．１の全幅にわたって伸長する。図３ａ、図３ｂ、図９ａ、および、図９ｂは、閉じる力Ｆの作用によって、前記ロック手段４のコイル４０の平面ＴＴ′における距離ｅ分の圧縮を示す。コイルバネ４．１のコイル４０は、柔軟性があり、楕円形となり、そして、変位することができるので、ロック手段に対する折り畳みアーム１および２の位置合わせにおいて潜在的な非対称性の自己センタリング（self-centring）及び補償を可能にする。この閉じる動作は、芯４．２の外側にあるコイルバネ４．１のコイル４０が伸びることを伴う。図３ａおよび図３ｂは、閉じる力Ｆの作用によって、ロック手段４が平面ＬＬ′において距離ｃ分伸びたことを示す。
図２ａ、図２ｂ、および、図４〜図１１に示される別の好ましい実施形態においては、ロック手段４は、弾性チューブ４．３および少なくとも１つの芯４．２を含む。前記弾性チューブ４．３は、相互作用部分として機能し可逆的に変形することのできる薄い壁４００を有する。閉じる力Ｆの作用の下で薄い壁４００が変形させられ、弾性チューブ４．３は楕円形となる。より詳細には、この変形は弾性チューブ４．３の中央部分で発生する。なぜなら、この弾性チューブ４．３の端部はベースプレート３に取り付けられているからである。形状および幅に関してこのような弾性チューブ４．３の中央部分の変形に適合するようになされた折り畳みアーム１および２の接触面１．４および２．４は、弾性チューブ４．３上で可逆的に変形して耐えることができる。折り畳みアーム１および２との相互作用面の幅は、折り畳みアーム１および２とのコイルバネ４．３の相互作用面と比較して、半分程度に減少するので、ロック手段４に関しての折り畳みアーム１および２の位置合わせにおいて潜在的な非対称性の悪影響は減少する。
好ましくは、弾性チューブ４．３は金属であり、それの薄い壁４００は厚さが０．１５ｍｍである。これよりも薄い場合には、最大曲げ応力が大きくなりすぎるが（変形させる力が大きすぎてスナップ締めが困難となる）、これよりも厚い場合には、弾性チューブ４．３の弾性定数が大きくなりすぎる（薄い壁４００が可逆的な降伏強さを越えて変形しスナップ締めの作用が十分に強くない）。したがって、例えばステンレス鋼チューブ４．３のような金属材料から製造された弾性チューブ４．３の場合には、０．１５ｍｍの厚さは理想的な選択であることを示し、両者をスナップ締めの力又は閉じる力かを明確に規定することができ（厚すぎることもまた薄すぎることもなければ、それは十分に感じ取ることができる）、そして、ロック手段４の簡単な機械加工を保証するのである。
この結果として、本発明の範囲を逸脱することなく、この弾性チューブ４．３をベースプレート３中に直接に取り付けることができる。原理的には、このような弾性チューブ４．３は芯に関して必要性はない。しかしながら、少なくとも１つの芯４．２を使用することは好ましいことである。なせなら、それは、この弾性チューブ４．３をベースプレート３中に取り付けることの安定性および信頼性のを増加につながるからである。弾性チューブ４．３がそれの中央部分で変形することを可能にするために、この少なくとも１つの芯４．２の外径は、弾性チューブ４．３の内径よりも小さいものでなければならない。この弾性チューブ４．３の端部をこの少なくとも１つの芯４．２に取り付けるために、弾性チューブ４．３を少なくとも１つの芯４．２に接続する横木４．４が提供されてもよい。
本発明を理解することによって、専門知識を有する者は、多くの様々な手段によって閉じる力Ｆを変化させることができる。例えば、図５〜図７、図１０、および、図１１のさらなる好ましい実施形態に示されるように、コイルバネ４．１と弾性チューブ４．３とを組み合わせることができる。好ましくは、このコイルバネ４．１は１つかまたは２つの芯４．２の表面またはまわりに配置され、そして、弾性チューブ４．３がそのコイルバネ４．１のまわりに配置される。これによって、コイルバネ４．１が事実上完全に覆い隠される利点が得られ、したがって、折り畳み留め金を留めることができるようにする一方、美的要求をも満足させる。なぜなら、コイル４００は折り畳み留め金の外観を損なうものであり（顧客の嗜好およびファッションに依存する）、また、コイル４００およびとくにその隙間はよごれたものではいけないからである（たとえ掃除が簡単であるとしても）。
コイルバネ４．１のコイル４０を圧縮するために、および／または、ロック手段４の第２の平面ＬＬ′に配向された弾性チューブ４．３の薄い壁４００を変形させるために少なくとも１つの芯４．２の一方の端部の少なくとも一部分を押すことによって、ロックされた折り畳み留め金を開くことがなされ、その結果として、ロック手段４との折り畳みアーム１および２の接触表面１．４および２．４のロックが解除される。この少なくとも１つの芯４．２に沿った圧縮されたコイル４０および変形させられた薄い壁４００は、開こうとする力を折り畳みアーム１および２の接触面１．４および２．４に加えて折り畳み留め金を開くことを可能にする。ユーザは、ベースプレート３の側壁の反対側に突き出た少なくとも１つの芯４．２の端部４．５を好ましくは２本の指の平坦な端部でただ単に押すだけで折り畳み留め金のロックを解除することができ、したがって、爪溝を作動させるときのように爪が傷つくことはない。
この結果として、その弾性部品としてコイルバネ４．１または弾性チューブ４．３および／またはコイルバネ４．１と弾性チューブ４．３との組み合わせを備えたロック手段４を有する本発明による折り畳み留め金を使用することが可能である。２つの折り畳みアーム１および２をベースプレート３の方へ旋回するとき、スナップ締めとコイルバネ４．１のコイル４０の伸長とによって、あるいは、弾性チューブ４．３の薄い壁４００がその端部において折り畳みアーム１および２の凹部の形状に可逆的に変形することによって、折り畳みアーム１および２を閉じることができるように、折り畳みアーム１および２の接触部分１．４および２．４、あるいは凹んだ端部によって横方向にコイルバネ４．１のコイル４０および／または弾性チューブ４．３の薄い壁４００を圧縮することが必要である。図３ａ、図３ｂ、図９ａ、および、図９ｂは、閉じる力Ｆの作用の下で、コイルバネ４．１の形態によるロック手段４が距離ｅ分圧縮されたことを示す。図４は、閉じる力Ｆの作用によって、弾性チューブ４．３の形態によるロック手段４が変形させられたことを示す。
本発明によって使用されるロック手段４の弾性手段４．１と弾性手段４．３との主たる違いは、このような弾性部品４．１および４．３がこのような閉じる力Ｆを補償する方法に関するものである。
コイルバネ４．１のコイル４０は、柔軟性があり、楕円形となり、そして、ベースプレート３に取り付けるように機能する１つかまたは２つの芯４．２に沿って変位することができる。したがって、コイル４０は、ロック手段４に関しての折り畳みアーム１および２の位置合わせにおいて潜在的な非対称性を補償し事故センタリングを可能にする。折り畳みアーム１および２を閉じることは、芯４．２の外側にあるコイル４０が伸びることを伴う。折り畳みアーム１および２とコイルバネ４．１との間の相互作用は、このコイルバネ４．１の全幅にわたるものである。
弾性チューブ４．３の薄い壁４００は変形することができ楕円形となる。この変形は、より詳細には、弾性チューブ４．３の中央部分において発生する。なぜなら、それの端部はベースプレート３に（直接に、あるいは間接的に）取り付けられているからである。形状および幅に関してこのような弾性チューブ４．３の中央部分の変形に適合するようになされた折り畳みアーム１および２の接触面１．４および２．４は、可逆的に変形して弾性チューブ４．３上で耐えることができる。コイルバネ４．１に関して相互作用面の幅が減少することにより、ロック手段４に関しての折り畳みアーム１および２の位置合わせにおいて潜在的な非対称性の悪影響は最小限なものとなる。
弾性チューブ４．３を１つかまたは２つの芯４．２に配置されるコイルバネ４．１と組み合わせることは、ロック手段４に関しての折り畳みアーム１および２の位置合わせにおいて潜在的な非対称性および弾性チューブ４．３の中央部分に限定される変形を自己センタリングし補償することの両方を可能にする。コイルバネ４．１はほぼ完全に覆い隠され、それによって、折り畳み留め金を簡単な操作で留めることができるようにする一方、美的要求をも満足させる。
１つのロック手段４を使用することによって本発明のさらなる利点が得られ、このロック手段４の１つかまたはそれ以上の部品を交換する一方、閉じる力Ｆを調整することができる。雄型モデルおよび雌型モデルはバネの力あるいは弾性が異なるだけである。この折り畳み留め金は、ロック手段４を交換することによって閉じる力Ｆを迅速に変えることができる。このためには、様々な閉じる力Ｆを有するロック手段４を使用することは明らかである。このことは、ロック手段４にわずかにより大きいかまたはより小さい直径を選択することによって、または、多少強い弾性を有するコイル４０すなわちコイルバネ４．１または弾性チューブ４．３の薄い壁４００を使用することによって実現することができる。
本発明による折り畳み留め金は、折り畳みアーム１および２との関節接合によって配置された安全手段５を備えてもよく、この安全手段５をロック手段４に押しつけることによって少なくとも１つの折り畳みアーム１および２をしっかりとロックすることを可能にする。この安全ロック手段５は、第２の平面ＬＬ′においてロック手段４への圧縮に耐えることができる少なくとも１つの接触面５．４を含む。図８〜図１１は、安全手段５は、好ましくは、カバーの形態であることを示している。このカバーは、腕時計のバンドおよび折り畳み留め金の一部を形成する図示しないターミナル連結金具に着脱可能に取り付けられる。ピン５．６は、この締結のためのヒンジとして機能する。本発明を理解することによって、専門知識を有する者は、明らかに、折り畳み留め金に関する安全手段のための他の構成を考えだすことができるであろう。
図８〜図１１に示される好ましい実施形態によれば、少なくとも１つの芯４．２の端部４．５の少なくとも一部分を押してロック手段４の第２の平面ＬＬ′に配向されたコイルバネ４．１のコイル４０を圧縮している間は、少なくとも１つの安全手段５の少なくとも１つの接触面５．４がロック手段４上で耐える。図８、図９ａ、および、図９ｂは、コイルバネ４．１および２つの芯４．２を有するロック手段４を備えた折り畳み留め金の実施形態を示し、図１０および図１１は、コイルバネ４．１と、２つの芯４．２と、弾性チューブ４．３とを有するロック手段４を備えた折り畳み留め金の実施形態を示す。
この安全ロックは、カバーの形態の安全手段５を折り畳みアーム１および２の方へ旋回することによって達成される。少なくとも１つの芯４．２の端部４．５の少なくとも一部分が押され、横方向の安全アーム５の内側の接触部分あるいはノッチ５．４によって、コイルバネ４．１のコイル４０が縦方向に圧縮され、その結果として、スナップ締めおよび横方向の安全アーム５内のノッチ５．４へコイル４０が伸長することによってカバーを閉じることができる。図８、図９ａ、および、図９ｂは、このような安全に締結する力Ｆ′の２つの段階を示す。これらの図は、安全に締結する力Ｆ′の作用によってロック手段４が平面ＬＬ′において距離ｄ分の圧縮を示す。コイル４０が接触すると、これらのコイル４０はさらに圧縮され、閉じる力Ｆよりも大きいさらなる安全に締結する力Ｆ′を発生させる。しかしながら、この安全に締結する力Ｆ′は、折り畳み留め金を開ける力よりも依然として小さいままなので、折り畳みアーム１および２のロックを解除することのない安全なロックを可能にするのである。
本発明による折り畳み留め金は、折り畳みアーム１および２を閉じることと、その締結を安全にロックすることとを可能にする。図８〜図１１に示されるようなカバーの形態で安全手段５を使用するかどうかは任意である。
折り畳み留め金は、最低限の部品数によって構成され、かなりの対称性および安定性を有し、信頼性のある動作および簡単に留めることができることを保証する。この少なくとも１つの折り畳みアーム１および２、そして、この安全手段５は、好ましくは、一体となった金属部材として機械加工される。例示された方法において、図２ｂは、ピン１．１０および２．１０による確実な係合で接続された折り畳みアーム１および２とファスナー１．１および２．１の好ましい実施形態を示す。これは、簡単な機械加工と、折り畳み留め金の外観を迅速に変更することとを可能にする。ファスナー１．１および２．１が腕時計のストラップを取り付けるのに使用されると、ストラップおよび連結金具に関する形状の変更は、折り畳みアーム１および２全部を交換する必要はなく、ただ単にファスナー１．１および２．１を交換する必要があるだけである。
さらなる利点は溶接を避けることができることである。留め金の簡単で反復される操作に必要とされる高い精度の観点から、そして、選択された材料の処理において直面する技術的困難（溶接中の硬度の減少、溶接中の非対称な変形）の観点から、ファスナー１．１および２．１を折り畳みアーム１および２に取り付けるのに溶接は避けるのが都合が良いことが知られている。本発明を理解することによって、専門知識を有する者は、例えば、熱溶融性の合成材料などのための熱溶融のような、他の基礎材料のための他の取り付け手段を実施することができるであろう。
ロック手段４は好ましくは金属である。折り畳みアーム１および２そしてベースプレート３の鋼に比較すると、様々な材料（例えば、Ｎｉｖａｆｌｅｘ、Ｐｈｙｎｏｘ、など）からコイルバネ４．１または弾性チューブ４．３を選択することは都合が良いことが知られており、それらは、良好な摩擦係数を保証する。分子構造および硬度がそれぞれ異なる一対の材料を使用することは理想的なことである。ステンレス鋼の折り畳みアーム１および２とコイルバネ４．１、そして、異なる材料からつくられた弾性チューブ４．３を備えた本発明による留め金の音叉システムを使用することは、多くのスナップ締めの変種をもたらす。なぜなら、ステンレス鋼の弾性は一定ではなく、その化学組成はコイルバネまたは弾性チューブの化学組成ではないからである。既知の留め金の場合とは違って、それはそのような一対の異なる材料を使用せずに、２つの折り畳みアームへの同じスナップ締めの力を得ることができる。他の基礎材料の使用は明らかに可能であり、本発明によって限定されるものではない。
本発明による折り畳み留め金は、好ましくは、この折り畳み留め金にしっかりと取り付けられたロック手段４によって腕時計ストラップを開閉するのに使用される。
【図１ａ】
0003987954.tif 000002
【図１ｂ】
0003987954.tif 000003
【図２ａ】
0003987954.tif 000004
【図２ｂ】
0003987954.tif 000005
【図３ａ】
0003987954.tif 000006
【図３ｂ】
0003987954.tif 000007
【図４】
0003987954.tif 000008
【図５】
0003987954.tif 000009
【図６】
0003987954.tif 000010
【図７】
0003987954.tif 000011
【図８】
0003987954.tif 000012
【図９ａ】
0003987954.tif 000013
【図９ｂ】
0003987954.tif 000014
【図１０】
0003987954.tif 000015
【図１１】
0003987954.tif 000016